【事件の表示】
　特許第２７９５７１４号「遊技機の入賞装置」の請求項１に係る特許に対する特許異議の申立てについて、次のとおり決定する。
【結　論】
　訂正を認める。
　特許第２７９５７１４号の請求項１に係る特許を維持する。
【理　由】
１．手続の経緯
　特許第２７９５７１４号に係る発明についての出願は、平成２年２月６日に特願平２−２６６２１号として出願されたものである。
　そして、平成１０年６月２６日にその特許の設定登録がなされ、その後特許異議申立人上田実より、特許異議の申立てがなされ、平成１１年５月１７日付けで取消理由が通知され、その指定期間内である平成１１年７月３０日に訂正請求がなされたものである。
　
２．訂正の適否についての判断
２−１．訂正の内容
　訂正事項ａ
　特許請求の範囲の請求項１に係る記載
　「大入賞口に入賞した遊技球が通行する球通路の途中には、遊技球が落下したときに遊技者に利益を与える連続作動口を設け、この連続作動口の上流には、遊技球を前記連続作動口内に落入し易い位置で停留させて停留後放出する球停留部を設け、この球停留部の上流には、大入賞口に入賞した遊技球の受入れが可能な位置と不能な位置とに移動制御され、遊技球の受入れが可能な位置では、遊技球を受入れて受入れた遊技球を前記球停留部へ送り込み易い当り状態と、遊技球を受入れずに下流へ転落させる外れ状態とに遊技球を振り分ける球誘導路を設けた遊技機の入賞装置。」を、
　「大入賞口に入賞した遊技球が通行する球通路の途中には、遊技球が落下したときに遊技者に利益を与える連続作動口を設け、この連続作動口の上流には、遊技球を前記連続作動口内に落入し易い位置で停留させて停留後放出する球停留部を設け、この球停留部の上流には、大入賞口に入賞した遊技球の受入れが可能な位置と不能な位置とに移動制御され、遊技球の受入れが可能な位置では、遊技球を受入れて受入れた遊技球を前記球停留部へ送り込み易い当り状態と、遊技球を受入れずに下流へ転落させる外れ状態とに遊技球を振り分ける球誘導路を設け、この球誘導路は、前記大入賞口に入賞した遊技球が前記連続作動口内に落入したことを条件として、前記受け入れが可能な位置と不能な位置との間を反復して昇降動作することを特徴とする遊技機の入賞装置。」と訂正する。
　
　訂正事項ｂ
　発明の詳細な説明の欄における＜課題を解決するための手段＞の項の記載
　「＜課題を解決するための手段＞本発明の遊技機の入賞装置は、大入賞口に入賞した遊技球が通行する球通路の途中には、遊技球が落下したときに遊技者に利益を与える連続作動口を設け、この連続作動口の上流には、遊技球を前記連続作動口内に落入し易い位置で停留させて停留後放出する球停留部を設け、この球停留部の上流には、大入賞口に入賞した遊技球の受入れが可能な位置と不能な位置とに移動制御され、遊技球の受入れが可能な位置では、遊技球を受入れて受入れた遊技球を前記球停留部へ送り込み易い当り状態と、遊技球を受入れずに下流へ転落させる外れ状態とに遊技球を振り分ける球誘導路を設けた構成を有する。」を、
　「＜課題を解決するための手段＞本発明の遊技機の入賞装置は、大入賞口に入賞した遊技球が通行する球通路の途中には、遊技球が落下したときに遊技者に利益を与える連続作動口を設け、この連続作動口の上流には、遊技球を前記連続作動口内に落入し易い位置で停留させて停留後放出する球停留部を設け、この球停留部の上流には、大入賞口に入賞した遊技球の受入れが可能な位置と不能な位置とに移動制御され、遊技球の受入れが可能な位置では、遊技球を受入れて受入れた遊技球を前記球停留部へ送り込み易い当り状態と、遊技球を受入れずに下流へ転落させる外れ状態とに遊技球を振り分ける球誘導路を設け、この球誘導路は、前記大入賞口に入賞した遊技球が前記連続作動口内に落入したことを条件として、前記受け入れが可能な位置と不能な位置との間を反復して昇降動作する構成を有する。」と訂正する。
　
２−２．訂正の目的の適否、新規事項の有無及び拡張・変更の存否
　上記訂正事項ａは、特許明細書における特許請求の範囲の請求項１における「球誘導通路の（昇降）動作条件」を限定したものである。
　上記訂正事項ｂは、上記の特許請求の範囲の記載の訂正に伴って明細書中の発明の詳細な説明における対応箇所を同様に訂正したものである。
　上記訂正事項ａは特許請求の範囲の減縮に該当し、上記訂正事項ｂは明りようでない記載の釈明に、それぞれ該当する。
　そして、これらの訂正事項は、いずれも願書に添付した明細書または図面に記載された事項の範囲内のものであって、実質上特許請求の範囲を拡張または変更するものではない。
　
２−３．独立特許要件の判断
（訂正後の請求項１に係る発明）
　訂正後の請求項１に係る発明（以下「本件発明」という）は、平成１１年７月３０日付け訂正請求書に添付された訂正明細書の記載からみて、その特許請求の範囲の請求項１に記載されたとおりのものである。（「２−１．訂正事項ａ」参照）
（引用刊行物）
　当審が平成１１年５月１７日付けの取消理由で、以下の刊行物を引用した。
　刊行物１：特開平０１−１２４４８５号公報（甲第２号証）
　刊行物２：特開平０１−１３１６８７号公報（甲第１号証）
　刊行物３：特開昭６４−５６０８０号公報  （甲第３号証）
　刊行物４：特開平０１−１２１０８０号公報（甲第４号証）
　そして、刊行物１には、
　「この発明は、電気的駆動源たるソレノイドによって駆動される可動部材を有する弾球遊技機の可変入賞球装置に関する。」（第２頁左上欄第１行〜第３行）
　「下部前面飾り板６０には、開閉翼片５３ａ，５３ｂの後述する回動軸６６ａ，６６ｂの前面を覆う軸カバー６０ａ，６０ｂが一体的に形成され、また、その中央に開閉翼片５３ａ，５３ｂから落下する入賞玉を受けて後方へ跳ね返す傾斜板６１が横臥されている。
前記入賞玉受枠５９の下辺には、前後方向に一対の立壁６２ａ，６２ｂが立設され、該立壁６２ａ，６２ｂによって区画される３つの領域が中央の特定入賞口６３ａと左右の一般入賞口６３ｂ，６３ｃとなっている。」（第５頁右上欄第１０行〜左下欄第１行）
　「なお、前記立壁６２ａ，６２ｂは、取付基板５１の窓開口５４の開口縁に沿って後方へ突出形成された後面周壁６５部分まで立設されている。また、後面周壁６５は、後述する入賞空間７４の側壁を構成するものであるが、一部分は切り欠けられており、その部分には他の部材が充足されて全体として入賞空間７４の側壁を構成するようになっている。
前記入賞玉受枠５９の上方には、開閉翼片５３ａ，５３ｂが回動自在に軸支されている。」（第５頁左下欄第１２行〜右下欄第１行）
　「以上説明した入賞規制部５５と入賞玉受枠５９と開閉翼片５３ａ，５３ｂとによって、可変入賞装置５０の後述する入賞空間７４と前記遊技領域８とを区画しており、入賞空間７４に打玉が入賞するためには、開閉翼片５３ａ，５３ｂが開閉動作をしなければならないようになっている。
また、前記後面周壁６５の後部を被覆するように半透明のプラスチック板から成る裏面構成板７３が蝶着される。そして、この裏面構成板７３が入賞空間７４の後面を構成するようになっている。したがって、入賞空間７４は、全体として前記した入賞規制部５５と入賞玉受枠５９と開閉翼片５３ａ，５３ｂと後面周壁６５と裏面構成板７３とによって構成されている。入賞空間７４は、開閉翼片５３ａ，５３ｂによって誘導された入賞玉が流下する空間であるとともにその入賞玉の流下状態に影響を与える複数の振分け部材８０、１００が配置される空間でもある。
まず、第１の振分け部材８０について説明する。第１の振分け部材８０は、逆「Ｌ」字状に形成されており、その上辺面が前記入賞空間７４を上下方向に区画し、かつ前記開閉翼片５３ａ，５３ｂによって受け入れられた入賞玉を後方へ導く玉転動板部８１を構成し、その側辺面が摺動案内面８２を構成し、該摺動案内面８２が入賞空間７４の下方を前後方向に区画する仕切部材８４の前面と当接するようになっている。そして第１の振分け部材８０の中央後端部に連結ピン８３が突設され、後述する駆動源に連結されるようになっている。一方、仕切部材８４は、その後面ほぼ中央に突設された取付ボス８４ａによって裏面構成板７３に蝶着され、その下部にパチンコ玉が１個通過する程度の上下間隔を有する一対の仕切板８５ａ，８５ｂが重設されている。したがって、開閉翼片５３ａ，５３ｂによって誘導された入賞玉は、玉転動板部８１上を後方に向って転動し、該玉転動板部８１の左右後端から、玉転動板部８１と裏面構成板７３との間隔である連通口８６（第７図および第９図参照）に落ち込み、仕切部材８４の裏側を通って仕切り板８５ａ，８５ｂによって仕切られたいずれかの通路に誘導され、その後、前記複数の入賞口６３ａ〜６３ｃへ向けて流下するようになっている。なお、仕切板８５ａ，８５ｂは後述する下部玉流路部７６を３つの流路に区画し、その３つの通路のうち左右の通路には、後述する第２の振分け部材１００が関連的に設けられている。
前記第１の振分け部材８０の連結ピン８３は、裏面構成板７３に縦方向に穿設された長大７５を貫通して作動アーム８７の一端に回転自在に連結されている。
この作動アーム８７は、その他端が駆動モータ９２のモータ軸９３に固定された回転カム８８の偏心した位置に立設された偏心ピン８９と回転自在に係合され、駆動モータ９２の回転運動を上下方向の摺動運動に変換している。このため、第１の振分け部材８０は、駆動モータ９２の回転により前記仕切部材８４の前面に沿って上下方向の摺動動作をすることとなる。そして、この実施例では駆動モータ９２は、特定遊技状態となって、開閉翼片５３ａ，５３ｂの所定の開閉サイクル（１８回の開閉動作または１０個の入賞玉の発生）が開始して、その開閉サイクルの途中における予め定められた条件（例えば、９回の開閉動作または５個の入賞玉の発生）が達成されたときに回転開始するようになっている。また、駆動モータ９２を停止させるために前記回転カム８８の外周の半円部分には、凸部９０が突設され、この凸部９０が回転カム８８の近傍に設けられたカムスイッチ９４のアクチュエータ９５と当援するようになっている。すなわち、通常の状態において駆動モータ９２は、凸部９０とアクチュエータ９５との当接が解除された直後に停止しており、前記した予め定められた条件が達成されると駆動モータ９２が回転する。そして駆動モータ９２が半回転して凸部９０とアクチュエータ９５とが当接すると駆動モータ９２の回転が停止されるようになっている。このとき、第１の振分け部材８０は最も上昇した位置で停止しているが、その後、開閉翼片５３ａ，５３ｂによって受け入れられた入賞玉が前記特定入賞口６３ａに入賞したとき、または所定の開閉サイクルが終了したときに、再度駆動モータ９２が回転開始して半回転後に停止するようになっている。このとき第１の振分け部材８０は、最も下降した位置になっており、また凸部９０とアクチュエータ９５とは、その当接が解除された直後の位置、すなわち通常の位置に戻っている。なお、駆動モータ９２は、モータ取付板９１にビスにて蝶着され、該モータ取付板９１は、前記裏面構成板７３の後方に固定される駆動源取付枠９６に取着される。
次に、第２の振分け部材１００について説明する。第２の振分け部材１００は、一対の玉ストッパー１０１ａ，１０１ｂによって構成される。玉ストッパー１０１ａ，１０１ｂは、そのほぼ中央を軸ピン１０４にて軸支され、該軸ピン１０４は、前記裏面構成板７３の下方に形成された軸受部７７ａ，７７ｂに軸支されている。また、玉ストッパー１０１ａ，１０１ｂの先端部には、パチンコ玉の流下を停止させる係止部１０２ａ，１０２ｂが上向きに突設され、後端部には、当接ピン１０３ａ，１０３ｂが内側横向きに突設されている。そして、係止部１０２ａ，１０２ｂは、前記裏面構成板７３と一体的に形成された下部玉流路部７６の左右先端部から出没するように位置し、常には、自重で係止部１０２ａ，１０２ｂが下部玉流路部７６から退避した状態となっており、ある条件が成立した時点で前記当接ピン１０３ａ，１０３ｂが後述する摺動作動板１０５の作動により押圧されたときに回動して係止部１０２ａ，１０２ｂが下部流路部７６より上方に突設して下部玉流路部７６を流下する入賞玉を停止させるようになっている。なお、係止部１０２ａ，１０２ｂが出没する範囲は、前記仕切部材８４の仕切板８５ａ，８５ｂによって区画される左右の通路部分であって、係止部材１０２ａ，１０２ｂによって係止される入賞玉数は、各通路部分で数個（図示の実施例では各２個づつ）であり、それ以上の入賞玉は、仕切り板８５ａ，８５ｂの後部から中央の通路に溢れて下部玉流路部７６から下部転動板７６ａに導かれ、該下部転動板７６ａを通過して前記複数の入賞口６３ａ〜６３ｃのいずれかに誘導される。
上記下部転動板７６ａは、前記取付板５１と一体的に形成され、かつ下部玉流路部７６に連続するように設けられ、その先端が前記複数の入賞口６３ａ〜６３ｃに臨むように設けられている。
また、前記当接ピン１０３ａ，１０３ｂと当援する摺動作動板１０５は、逆さ「コ」字状に形成され、その上辺中央部分がソレノイド１０９のプランジャに連結されて上下動するようになっているとともにその下端部が前記当接ピン１０３ａ，１０３ｂと当接する当接部１０８ａ，１０８ｂとなっている。そしてソレノイド１０９が励磁されて増動作動板１０５が下降したときに当接部１０８ａ，１０８ｂと当接ピン１０３ａ，１０３ｂとが当接して玉ストッパー１０１ａ，１０１ｂを回動させ、前記係止部１０２ａ，１０２ｂを突出させる。一方、ソレノイド１０９が非励磁のときは、ソレノイド１０９のプランジャに周設された付勢バネの付勢力により摺動作動板１０５が上昇しているので当接部１０８ａ，１０８ｂと当接ピン１０３ａ，１０３ｂとが当接することなく、したがって、玉ストッパー１０１ａ，１０１ｂは自重により回動して係止部１０２ａ，１０２ｂが退避した状態となる。なお、前記当接ピン１０３ａ，１０３ｂと前記摺動作動板１０５の当接部１０８ａ，１０８ｂとを係合するように構成しても良い。また、摺動作動板１０５の左右辺には、装飾可動板１１０ａ，１１０ｂを動作させるための係合長穴１０６ａ，１０６ｂと、前記駆動源取付枠９６の裏面に突設された案内ピン９６ａ，９６ｂに嵌入されて摺動作動板１０５の上下方向の摺動をガイドする案内溝１０７ａ，１０７ｂとが穿設されている。前記装飾可動板１１０ａ，１１０ｂは、前記裏面構成板７３の前面であって、入賞空間７４内で可動することによって装飾効果を現出させるものであるが、該装飾可動板１１０ａ，１１０ｂに後方に向かって突設された回動軸１１１ａ，１１１ｂ（ただし１１１ａは図示省略）は、裏面構成板７３に穿設された回動軸挿通穴７９ｅ，７９ｆ（ただし７９ｅは図示省略）、および駆動源取付枠９６に形成された軸受筒９８ａ，９８ｂを介してリンク部材１１２ａ，１１２ｂ（ただし１１２ａは図示省略）に固定され、該リンク部材１１２ａ，１１２ｂに突設された係合ピン１１３ａ，１１３ｂ（ただし１１３ａは図示省略）が前記係合長穴１０６ａ，１０６ｂに係合して、摺動作動板１０５の上下動を装飾可動板１１０ａ，１１０ｂの回動動作に変換している。なお、回動軸１１１ａ，１１１ｂの前後には、プラスチック製の軸受部材１１４ａ〜１１４ｄ（ただし１１４ａ，１１４ｂは図示省略）が嵌入され、回動軸１１１ａ，１１１ｂを安定的に支持している。また、装飾可動板１１０ａ，１１０ｂは、ソレノイド１０９が非励磁状態のとき第４図に示されるように入賞空間７４内に設けられた被覆部材１１５ａ，１１５ｂに被覆されて遊技者からは見ることができず、ソレノイド１０９が励磁されたとき第６図に示されるように被覆部材１１５ａ，１１５ｂから飛び出して遊技者が見ることができる。なお、第２の振分け部材１００および装飾可動板１１０ａ，１１０ｂを作動させるソレノイド１０９は、取付板を介して前記駆動源取付枠９６の裏面に蝶着されている。
また、ソレノイド１０９は、特定遊技状態となって所定の開閉サイクルが開始する際にＯＮとされ、前記した予め定められた条件（９回の開閉動作または５個の入賞玉が発生するまで）が達成されること、あるいはその予め定められた条件が達成される前に特定入賞口６３ａに入賞玉が入賞することによってＯＦＦとなるように制御される。」（第６頁左上欄第４行〜第８頁右上欄第１４行）
　「流下する過程で打球が始動入賞口１１，１２ａ，１２ｂへ入賞すると、開閉ソレノイド１２０ａ，１２０ｂに１回または２回の相対的に短い時間間隔のパルス信号が与えられる。それに伴って、開閉翼片５３ａ，５３ｂが１回または２回の開閉動作を行うことになる。この１回または２回の開閉動作中に遊技領域８を落下する打球が開閉翼片５３ａ，５３ｂに誘導されて入賞し、しかもその入賞玉が特定入賞口６３ａへ入賞すると特定遊技状態となる。」（第１０頁左上欄第１５行〜右上欄第４行）
　「一方、特定遊技状態になると、ソレノイド１０９に駆動信号が送られ増動作動板１０５が下方に摺動される。それにより第２の振分け部材１００である玉ストッパー１０１ａ，１０１ｂを回動させて、玉ストッパー１０１ａ，１０１ｂの係止部１０２ａ，１０２ｂが下部玉流路板７６の前面に突出し、その状態が維持される（第６図および第７図参照）。このような状態において、開閉ソレノイド１２０ａ，１２０ｂに再度相対的に短い時間間隔のパルス駆動信号が送られ、開閉翼片５３ａ，５３ｂが開閉を繰り返す。この開閉翼片５３ａ，５３ｂの開閉動作中に開閉翼片５３ａ，５３ｂに誘導された打球は、第１の振分け部材８０の玉転動板部８１上に導かれて後方に誘導され、連通口８６から下部玉流路部７６の仕切板８５ａ，８５ｂによって仕切られた３つの通路のいずれかに誘導される。
この３つの通路のうち左右の通路は、前記係止部１０２ａ、１２０ｂによって流路が塞がれているため、左右の通路に誘導された入賞玉は、その係止状態が解除されるまで貯溜されることになる。しかもこの実施例の場合、玉転動板部８１上を流下する入賞玉は、その左右の連通口８６から落下するので、前記した左右の通路に優先的に貯溜される可能性が高くなる。ただし貯溜される個数は、左右それぞれ２個づつであるためそれ以上の入賞玉は仕切板８５ａ，８５ｂの後部から中央の通路に溢れて下部転動板７６ａを流下して、特定入賞口６３ａまたは一般入賞口６３ｂ，６３ｃのいずれかに誘導される。
以上のように開閉翼片５３ａ，５３ｂの開閉サイクルがある程度進行して、開閉動作が９回に達するか、または１０カウント検出スイッチ３５によって計数された入賞玉数が５個に達した場合には、ソレノイド１０９の駆動信号が停止されて摺動作動板１０５が上昇し、玉ストッパー１０１ａ，１０１ｂが自重により逆回動して係止部１０２ａ，１０２ｂの係止状態が解除され、貯溜されていた入賞玉の貯溜を解除する。解除された貯溜玉は下部転動板７６ａ上を流下して、ほとんど一般入賞口６３ｂ，６３ｃへ誘導される。また、それと同時に駆動モータ９２の回転駆動信号が出されて、第１の振分け部材８０が上昇し始め、第１の振分け部材８０の玉転動板部８１が最も上昇した位置、すなわち駆動モータ９２が半回転した時点で回転が停止する（第８図および第９図参照）。この状態において、開閉翼片５３ａ，５３ｂによって誘導された入賞玉は、開閉翼片５３ａ，５３ｂから直接落下して傾斜版６１に衝突し、入賞空間７４の後方に向けて跳ね飛ばされて下部転動板７６ａ上に落下し、その後、前方に向けて流下し、特定入賞口６３ａまたは一般入賞口６３ｂ，６３ｃのいずれかへ誘導されるようになっている。」（第１０頁右上欄第１４行〜第１１頁左上欄第５行）と記載されているから、刊行物１には
　「大入賞口に入賞した遊技球が通行する球通路の途中には、遊技球が落下したときに遊技者に利益を与える連続作動口を設け、この連続作動口の上流には、遊技球を前記連続作動口内に落入し易い位置で転動させるために他の遊技球を停留させて、停留後、他の遊技球と共に放出する球停留部を設け、この球停留部の上流には、大入賞口に入賞した遊技球の受入れが可能な位置と不能な位置とに移動制御され、遊技球の受入れが可能な位置では、遊技球を受入れて受入れた遊技球を前記球停留部へ送り込み易い当り状態と、遊技球を受入れずに下流へ転落させる外れ状態とに遊技球を振り分ける球誘導路を設けた」遊技機の入賞装置が記載されている。
　（対比・判断）
　本件発明と刊行物１記載の発明とを比較すると、後者のものは、本件発明の構成要件である「球誘導路は、大入賞口に入賞した遊技球が連続作動口内に落入したことを条件として、受け入れが可能な位置と不能な位置との間を反復して昇降動作する」構成を備えていない。
  また、刊行物２ないし４には、「遊技球を連続作動口内に落入し易い位置で停留させて停留後放出する球停留部を設けた遊技機」が記載されているが、本件発明の構成要件である「球誘導路は、大入賞口に入賞した遊技球が連続作動口内に落入したことを条件として、受け入れが可能な位置と不能な位置との間を反復して昇降動作する」構成について何らの記載もなく示唆もされていない。
  そして本件発明は該構成要件を備えることによって、
　「大入賞口に入賞した遊技球が連続作動口内に落入した場合、必ずしも大入賞口に入賞した遊技球が球誘導路に受け入れられて球停留部へ送り込まれ易くなるとは限りません。したがって、球誘導路が昇降動作の途中に遊技球を受け入れが可能な位置になると、遊技者は大入賞口に入賞した遊技球が球停留部へ送り込まれるかもしれないという期待感を抱くことができ、入賞装置に対してゲームの興趣を高める新規な趣向を付与することができる」という顕著な効果を奏することが明らかであるから、本件発明が、上記刊行物１ないし４に記載された発明に基づいて当業者が容易に発明をすることができたものとはいえない。
　
２−４．むすび
　以上のとおりであるから、上記訂正請求は、特許法第１２０条の４第２項及び同条第３項において準用する第１２６条第２項ないし第４項の規定に適合するので、上記訂正を認める。
　
３．特許異議申立ての理由について
３−１．特許異議申立人の特許異議申立理由
  特許異議申立人は、本件発明は、甲第１号証に記載された発明に甲第２号証ないし甲第４号証に記載された発明を適用することによって、当業者が容易に発明をすることができたものであるから、特許法第２９条第２項の規定により特許を受けることができないものであり、特許法第１１３条第１項第２号の規定により特許を取り消されるべきと主張している。
　本件発明は、訂正明細書の特許請求の範囲の請求項１に記載されたとおりのものである。
　そして、上記甲第１号証ないし甲第４号証には、「２−３．独立特許要件の判断」において述べた事項が記載されており、上記いずれの証拠にも「遊技球を連続作動口内に落入し易い位置で停留させて停留後放出する球停留部を設けた遊技機」が記載されているが、本件発明の構成要件である「球誘導路は、大入賞口に入賞した遊技球が連続作動口内に落入したことを条件として、受け入れが可能な位置と不能な位置との間を反復して昇降動作する」点の記載もなく示唆もないことも上述のとおりである。
　そして、本件発明は上記構成要件によって、上記した格別の効果を奏しているものである。
　
３−３．むすび
　以上のことより、特許異議申立ての理由及び証拠によっては、本件発明の特許を取り消すことはできない。
　また、他に本件発明の特許を取り消すべき理由を発見しない。
　よって、結論のとおり決定する。
【異議決定日】
平成１３年９月１８日（２００１．９．１８）
【訂正の要旨】
　訂正の要旨
　訂正事項ａ
　特許請求の範囲の請求項１に係る記載
　「大入賞口に入賞した遊技球が通行する球通路の途中には、遊技球が落下したときに遊技者に利益を与える連続作動口を設け、この連続作動口の上流には、遊技球を前記連続作動口内に落入し易い位置で停留させて停留後放出する球停留部を設け、この球停留部の上流には、大入賞口に入賞した遊技球の受入れが可能な位置と不能な位置とに移動制御され、遊技球の受入れが可能な位置では、遊技球を受入れて受入れた遊技球を前記球停留部へ送り込み易い当り状態と、遊技球を受入れずに下流へ転落させる外れ状態とに遊技球を振り分ける球誘導路を設けた遊技機の入賞装置。」を、
　「大入賞口に入賞した遊技球が通行する球通路の途中には、遊技球が落下したときに遊技者に利益を与える連続作動口を設け、この連続作動口の上流には、遊技球を前記連続作動口内に落入し易い位置で停留させて停留後放出する球停留部を設け、この球停留部の上流には、大入賞口に入賞した遊技球の受入れが可能な位置と不能な位置とに移動制御され、遊技球の受入れが可能な位置では、遊技球を受入れて受入れた遊技球を前記球停留部へ送り込み易い当り状態と、遊技球を受入れずに下流へ転落させる外れ状態とに遊技球を振り分ける球誘導路を設け、この球誘導路は、前記大入賞口に入賞した遊技球が前記連続作動口内に落入したことを条件として、前記受け入れが可能な位置と不能な位置との間を反復して昇降動作することを特徴とする遊技機の入賞装置。」と訂正する。
　訂正事項ｂ
　発明の詳細な説明の欄における＜課題を解決するための手段＞の項の記載
　「＜課題を解決するための手段＞本発明の遊技機の入賞装置は、大入賞口に入賞した遊技球が通行する球通路の途中には、遊技球が落下したときに遊技者に利益を与える連続作動口を設け、この連続作動口の上流には、遊技球を前記連続作動口内に落入し易い位置で停留させて停留後放出する球停留部を設け、この球停留部の上流には、大入賞口に入賞した遊技球の受入れが可能な位置と不能な位置とに移動制御され、遊技球の受入れが可能な位置では、遊技球を受入れて受入れた遊技球を前記球停留部へ送り込み易い当り状態と、遊技球を受入れずに下流へ転落させる外れ状態とに遊技球を振り分ける球誘導路を設けた構成を有する。」を、
　「＜課題を解決するための手段＞本発明の遊技機の入賞装置は、大入賞口に入賞した遊技球が通行する球通路の途中には、遊技球が落下したときに遊技者に利益を与える連続作動口を設け、この連続作動口の上流には、遊技球を前記連続作動口内に落入し易い位置で停留させて停留後放出する球停留部を設け、この球停留部の上流には、大入賞口に入賞した遊技球の受入れが可能な位置と不能な位置とに移動制御され、遊技球の受入れが可能な位置では、遊技球を受入れて受入れた遊技球を前記球停留部へ送り込み易い当り状態と、遊技球を受入れずに下流へ転落させる外れ状態とに遊技球を振り分ける球誘導路を設け、この球誘導路は、前記大入賞口に入賞した遊技球が前記連続作動口内に落入したことを条件として、前記受け入れが可能な位置と不能な位置との間を反復して昇降動作する構成を有する。」と訂正する。
（５４）【発明の名称】
遊技機の入賞装置
（５７）【特許請求の範囲】
　【請求項１】　大入賞口に入賞した遊技球が通行する球通路の途中には、遊技球が落下したときに遊技者に利益を与える連続作動口を設け、
この連続作動口の上流には、遊技球を前記連続作動口内に落入し易い位置で停留させて停留後放出する球停留部を設け、
この球停留部の上流には、大入賞口に入賞した遊技球の受入れが可能な位置と不能な位置とに移動制御され、遊技球の受入れが可能な位置では、遊技球を受入れて受入れた遊技球を前記球停留部へ送り込み易い当り状態と、遊技球を受入れずに下流へ転落させる外れ状態とに遊技球を振り分ける球誘導路を
設け、
この球誘導路は、前記大入賞口に入賞した遊技球が前記連続作動口内に落入したことを条件として、前記受け入れが可能な位置と不能な位置との間を反復して昇降動作することを特徴とする
【発明の詳細な説明】
［産業上の利用分野］
　この発明は遊技機の遊技盤面に装着される入賞装置に関する。
［従来の技術］
　遊技機の入賞装置にはこの入賞装置の大入賞口内へ落入して入賞装置内を通過する入賞球が入賞のために有利な通過経路を通過するか否かを分別する種々の機構が組み込まれている。
［発明が解決しようとする課題］
　本発明の課題は入賞装置の大入賞口内へ落入した入賞球の転落態様を変化させる新規な趣向を有する入賞装置を提供することである。
［課題を解決するための手段］
　本発明の遊技機の入賞装置は、大入賞口に入賞した遊技球が通行する球通路の途中には、遊技球が落下したときに遊技者に利益を与える連続作動口を設け、この連続作動口の上流には、遊技球を前記連続作動口内に落入し易い位置で停留させて停留後放出する球停留部を設け、
　この球停留部の上流には、大入賞口に入賞した遊技球の受入れが可能な位置と不能な位置とに移動制御され、遊技球の受入れが可能な位置では、遊技球を受入れて受入れた遊技球を前記球停留部へ送り込み易い当り状態と、遊技球を受入れずに下流へ転落させる外れ状態とに遊技球を振り分ける球誘導路を
設け、
　この球誘導路は、前記大入賞口に入賞した遊技球が前記連続作動口内に落入したことを条件として、前記受け入れが可能な位置と不能な位置との間を反復して昇降動作する
［作用］
　大入賞口と、遊技球が落下したときに遊技者に利益を与える連動作動口とを備えた入賞装置において、大入賞口に入賞した遊技球の受入れが可能な位置と不能な位置とに移動制御される球誘導路が遊技球の受入れが可能な位置へ移動した状態では、大入賞口に入賞した遊技球は、球誘導路に受入れられて連続作動口の上流の球停留部に送り込まれ易い当り状態、若くしは、球誘導路に受入れられずに球誘導路の下流へ転落する外れ状態とに振り分けられる。球誘導路から送り出された遊技球か球停留部で停留すると、その停留球は停留後連続作動口に入賞し易い状態で球停留部から放出される。
［実施例］
　次に、本発明の一実施例を図面に従って説明する。
　遊技機の遊技盤１の中央部には入賞装置Ｎが装着されるとともに、遊技盤１の遊技盤面１ａには入賞装置Ｎの両側方にそれぞれ配設された左右入賞口４，５と、入賞装置Ｎの下方に配設されて横方向へ配列された左始動口８、右始動口９、中始動口１０とがそれぞれ開設され、さらに、遊技盤面１ａの入賞装置Ｎの両側斜め下方にはそれぞれ規定入賞数が１個となるように設定されたチューリップ式役物６，７が取り付けられている。
　入賞装置Ｎには入賞球を受け入れて通過させるための球通過部Ｎ１と、入賞球の転落経路を変化させるために駆動制御される伝動部材を備え、球通過部Ｎ１の後方及び下方に配設された伝動部Ｎ２と、前記伝動部材を駆動する駆動部材を備え、伝動部Ｎ２の後方に配設された駆動部Ｎ３と、入賞装置Ｎの各種電気部品と外部配線とを接続する配電部Ｎ４とが前から順に形成されている。
　球通過部Ｎ１には遊技盤面１ａに取着されて合成樹脂材で枠状に形成されたベース枠１１と、このベース枠１１の裏面に組付けられて合成樹脂材で前方開放の箱形状に形成された球受ケース１２と、ベース枠１１内に装入された仕切り部材１３とが設置される。
　ベース枠１１の前部に形成された前枠板１１ａの上端部には通過口１１ｃが開口されるとともに、前枠板１１ａの上端部付近の後側面には縦断面が｜｜形状のカバー片３０と、前方及び側方開放の箱形状のケース片３１とが上下に連設され、前枠板１１ａの上端部の内側縁とケース片３１の前上端縁との間には天入賞口１５が開口されている。
　前枠板１１ａの上端部付近の前面には後方開放の箱形状の収納樋１６が取着され、この収納樋１６内にはＬＥＤ基板１７が設置されるとともに、ＬＥＤ基板１７にそれぞれ接続された大入賞口入球数表示ＬＥＤ１８と、連続回数表示ＬＥＤ１９と、装飾ＬＥＤ２０とが装入されている。収納樋１６の左右下端部には斜め下方へ突出された突縁１６ａがそれぞれ形成されるとともに、収納樋１６の上面の中央部には後方へ下傾して後端縁がケース片３１の前上端縁に整合及び接合された中案内面１６ｂが形成され、さらに収納樋１６の上面の左右部にはそれぞれ内方へ下傾する左右の横案内面１６ｃ，１６ｃが形成され、収納樋１６上へ転落した遊技球は各案内面１６ｂ，１６ｃで誘導されて天入賞口１５内へ導入される。
　ケース片３１の後側面には天入賞口１５内へ落入してケース片３１上を後方へ転動した遊技球をケース片３１の後方から一側方へ誘導するために前方、上方及び一側開放の上樋板２２がビス着されている。
　前枠板１１ａの下端部付近には左右の側板２３ａと底板２３ｂとが連設されて前枠板１１ａの前方及び後方へ突出された下樋片２３が形成され、この下樋片２３の前面には飾り板２４が添着されるとともに、下樋片２３の底板２３ｂの前部の中央部付近上には左右１対の仕切り板２５，２５が並行状に立設されている。
　下樋片２３内の前端部の中央部で両仕切り板２５間の上端には連続作動口２６が開口されるとともに、下樋片２３内の前端部の左右部で両仕切り板２５と両側板２３ａとの間の上端部にはそれぞれ入賞球通過口２７，２７が開口されている。また、両仕切り板２５間の上端付近には連続作動口２６内へ落入した入賞球を検出するための連続作動口入球検出スイッチ２８が挿入されている。下樋片２３底板２３ｂ上には連続作動口２６内及び両入賞球通過口２７内へ落入した遊技球をベース枠１１の下方へ誘導する球通路が形成され、下樋片２３の後側面にはこの球通路を覆蓋する縦断面円弧状のカバー２９がビス着されている。
　ベース枠１１の前枠板１１ａの両側枠部付近の裏面には中央部が垂直状で上部が外方へ下傾しかつ下部が内方へ下傾するようにそれぞれ形成された左右１対の側壁１１ｂがそれぞれ直交状に連接されている。
　透明合成樹脂材で成形された仕切り部材１３はベース枠１１の両側壁１１ｂ間に密嵌状で取り外し可能に嵌装され、この仕切り部材１３には両側壁１１ｂの内壁面にそれぞれ添設された左右１対の側壁板１３ａと、この両側壁板１３ａの前端縁にそれぞれ連接された左右１対の前壁板１３ｂと、この両前壁板１３ｂの内端縁の下部にそれぞれ直交状に連接されてベース枠１１の下樋片２３の両側板２３ａの真上に直列状に垂立された左右１対の遮断片１３ｃと、両前壁板１３ｂの内端縁の中央部付近に後端部の左右端部がそれぞれ連続されかつ前方に向かって若干上傾した状態で両前壁板１３ｂ間に横架されて両前壁板１３ｂの前方へ突出された方形板状の球受棚１３ｄと、両前壁板１３ｂの後側面の内端部の中央部にそれぞれ後方へ突出形成された左右１対の円筒状の軸受部１３ｅとが形成され、球受側１３ｄの上面後端部の左右端部付近にはそれぞれ三角台状のガイド片１３ｆが突設されている。
　両仕切り部材１３の球受棚１３ｄの左右側縁と、収納樋１６の左右突縁１６ａとの間には左右の大入賞口３，３がそれぞれ開設されている。
　球受ケース１２にはベース枠１１のケース片３１の底板の後方に直結状に連設された上壁板３２ａと、ベース枠１１の両側壁１１ｂと下樋片２３の両側片２３ａの上端付近との後方にそれぞれ直結状に連設された両側壁板３２ｂとを有する胴壁板３２と、この胴壁板３２の後端縁に接合された後壁板３３と、後壁板３３の下端縁及び胴壁板３２の両側壁板３２ｂの下端付近にそれぞれ接合されて前傾した状態で前方へ突出された底板３４とが形成されている。底板３４の水平状の前端縁はベース枠１１の前枠部１１ａの前面付近で連続作動口２６及び両入賞球通過口２７の後側開口縁の若干上方に配設される一方、底板３４の後端付近は後壁板３３の後方へ突出されている。
　球受ケース１２の後壁板３３にはその上下方向及び左右方向の中央部に配設されて垂直方向に沿って貫設された長方形状のガイド孔３３ａと、後壁板３３の左右端部付近の上下方向の中央部にそれぞれ配設された左右１対の円筒状の軸受部３３ｂとが形成されている。球受ケース１２の後壁板３３の上端部及び左右端部の後側にはランプが取り付けられたランプ基板がそれぞれビス着されるとともに、後壁板３３の下端付近の後側には横一列に配設された複数個のＬＥＤが接続されたＬＥＤ基板がビス着されている。
　球受ケース１２内の後部には大入賞口３内へ落入した入賞球の通過経路を変化させるためにレーサーがレーシングカーに乗車した形態を有する装飾部材としてのキャラクタ３６が装入され、キャラクタ３６の中央部にはレーシングカーの車体の形状を有するキャラクタ本体３７が前後方向に沿って形成されている。
　キャラクタ３６のキャラクタ本体３７の後側面の中央部には球受ケース１２のガイド孔３３ａの前側面に添接された前スライダ４０がビス着され、この前スライダ４０の後側面にはそれぞれ後方へ水平状に突出形成されてガイド孔３３ａ内に貫挿された上下の突部４０ａ，４０ｂが並設され、下突部４０ｂには後方へ水平状に突出された伝動ピン４０ｃが挿着されている。前スライダ４０の後側にはガイド孔３３ａの後側面に添接されて上部が上突部４０ａにビス着されたかつ下部に伝動ピン４０ｃが貫挿された後スライダ４１が並着され、両スライダ４０，４１の左右端縁間にはガイド孔３３ａの両側孔縁がそれぞれ挿入され、キャラクタ本体３７は球受ケース１２の後壁板３３に両スライダ４０，４１を介して上下スライド可能に係止されている。
　キャラクタ本体３７の左右方向中央部には、大入賞口３に入賞した遊技球の受入れが可能な位置と不能な位置とに移動制御され、遊技球の受入れが可能な位置では、遊技球を受入れて受入れた遊技球を後記球停留部５６へ送り込み易い当り状態と、遊技球を受入れずに下流へ転落させる外れ状態とに遊技球を振り分ける球誘導路４２が前後方向に沿って形成されている。
　この球誘導路４２の前端には球入口４２ａが開口され、球誘導路４２の後端には球出口４２ｂが開口されている。
　球誘導路４２に受入れられた遊技球は球誘導路４２を通って球出口４２ｂから球受けケース１２の底板３４上の中央部付近へ転落する。キャラクタ本体３７が上動した時には球誘導路４２の球入口４２ａが仕切り部材１３の球受棚１３ｄの後端縁の上方へ変位して球受棚１３ｄ上から球誘導路４２内への遊技球の落入が不能となり、キャラクタ本体３７が下動端へ下降したときには球誘導路４２の球入口４２ａが球受棚１３ｄの後端縁に対置されて球受側１３ｄ上から球誘導路４２内への遊技球の落入が可能となる。
　キャラクタ本体３７の両側方には後壁板３３の前面の左右部にそれぞれ取り付けられてレーシングカーのタイヤの形状を有する左右１対の第１キャラクタ部品３８，３８が配設されるとともに、この両第１キャラクタ部品３８にはそれぞれキャラクタ本体３７側へ延出されて内端部がキャラクタ本体３７内に突入された左右１対の車軸状の第２キャラクタ部品３９の基端部がそれぞれ枢着された、キャラクタ本体３７が上下動したときには両第２キャラクタ部品３９がそれぞれ外端部を支点として上下に傾動する。
　球受ケース１２の底板３４の中央部付近には円環状に配列された複数個の遊技球が同時に収容されるように設定された孔径を有する上方開放の球停留孔４４が丸孔状に凹設されるとともに、底板３４の上面の後端中央部で球停留孔４４の後方には断面が逆Ｖ形状の突起３４ａが突設されている。
　球受ケース１２の球停留孔４４内にはほぼ円盤状の昇降部材４８が上下スライド可能に設置され、この昇降部材４８の上面の中心部付近にはほぼ円錐状の隆起部４８ａが突出形成される一方、昇降部材４８の下面には複数個のガイド片４８ｂが並行状に垂下され、各ガイド片４８ｂは球停留孔４４の底板４４ａに貫設された各通し孔４４ｂ内にそれぞれ上下スライド可能に貫挿されている。昇降部材４８の各ガイド片４８ｂの下端面には左右１対の突起５４ａが下面に突設された連結片５４がビス着されている。
　仕切り部材１３の両軸受部１３ｅと、球受ケース１２の両軸受部３３ｂとにはそれぞれ前後方向に沿って水平状に横架された左右１対の伝動軸４５，４５が回転可能に貫挿支持され、この両伝動軸４５の前端にはそれぞれ左右の大入賞口３を開閉するために揺動制御される左右１対の開閉翼片４６，４６の基端部がそれぞれ嵌着される一方、両伝動軸４５の後端にそれぞれ共転可能に嵌装された左右１対の第１伝動片４７には後方へ水平状に突出された伝動ピン４７ａがそれぞれ挿着されている。
　球受ケース１２の底板３４の後端部下面に連設された取付台３４ｂの下面には金属製で断面が｜｜形状の取付部材４９が取着され、この取付部材４９の両側板間には球停留ソレノイド５０が前向き状に挟着され、この球停留ソレノイド５０の作動軸５０ａには作動軸５０ａを前方へ付勢するスプリング５０ｂが外嵌されている。
　取付部材４９の前端には揺動レバ５１がその基端部を貫通して取付部材４９の両側板に貫挿された連結ピン５２を介して上下方向への揺動可能に連結され、揺動レバ５１の後下端部には球停留ソレノイド５０の作動軸５０ａが連結ピン５３を介して連結されるとともに、前方へ延出された揺動レバ５１の前端部には横長状の貫通孔５１ａが貫設されている。
　揺動レバ５１はこの揺動レバ５１の貫通孔５１ａと前記連結片５４の両突部５４ａとに貫挿された連結ピン５５を介して連結片５４に連動可能に連結されている。
　球停留ソレノイド５０が励磁されて作動軸５０ａが後退したときには揺動レバ５１が下方へ揺動して昇降部材４８が連結片５４とともに引き下げられ、球停留孔４４内の昇降部材４８上には複数個の遊技球の収容が可能な球停留部５６が形出される一方、球停留ソレノイド５０が消磁されて作動軸５０ａがスプリング５０ｂの弾発力で前進したときには揺動レバ５１が上方へ揺動して球停留孔４４内の上端へ連結片５４とともに押し上げられ、昇降部材４８の上面が球受ケース１２の底板３４の上面に整合されて球停留部５６が消滅し、球停留部５６内に収容された各遊技球がそれぞれ自重で底板３４上を前方へ転動し、連続作動口２６内乃至入賞球通過口２７内へ転落する。球停留孔４４は球停留部５６が形出されたときには球停留部５６内に最高５個までの遊技球が収容されるように形成されている。
　球受ケース１２の後壁板３３の後方には後壁板３３の後側面に突出形成された複数個の腕片３３ｃの後端面にビス着された取付プレート５８が垂立され、この取付プレート５８の後側面の上部には左右１対の大入賞口開閉ソレノイド６０，６０が下向き状に取着されている。両大入賞口開閉ソレノイド６０の作動軸６０ａにはこの作動軸６０ａを下方へ付勢するスプリング６０ｂがそれぞれ外嵌されるとともに、両作動軸６０ａの先端は左右両端部に横長状の挿通孔６１ａが貫設された横長板状の第２伝動片６１の中央部付近にそれぞれ連結ピン６２を介して共同上下動可能に連結されている。第２伝動片６１の両挿通孔６１ａ内には前記両第１伝動片４７の伝動ピン４７ａがそれぞれ挿入され、両大入賞口開閉ソレノイド６０の作動軸６０ａは両伝動片６１，４７を介して両伝動軸４５にそれぞれ連動可能に連繋されている。
　両大入賞口開閉ソレノイド６０が共に励磁されて両作動軸６０ａが上方へ退動したときには両第１伝動片４７が共に上方へ揺動して両伝動軸４５が相反方向へ回転し、両開閉翼片４６がそれぞれ外方へ揺動して両大入賞口３がそれぞれ開放される一方、両大入賞口開閉ソレノイド６０が共に消磁されて両作動軸６０ａがスプリング６０ｂの弾発力によって下方へ進動したときには両第１伝動片４７が共に下方へ揺動して両伝動軸４５が相反方向へ回転し、両開閉翼片４６がそれぞれ内方へ揺動して両大入賞口３がそれぞれ閉鎖される。
　取付プレート５８の下端付近にはステップモータ型のキャラクタ本体駆動モータ６３が前向き状に取着され、このキャラクタ本体駆動モータ６３の出力軸６３ａには前方へ突出された伝動ピン６５が一端部に挿着された円盤状のカム６４が嵌着されている。
　カム６４と前記両スライダ４０，４１とを連動可能に連結するために設けたクランク６６の一端部には前スライダ４０の伝動ピン４０ｃが貫挿される一方、クランク６６の他端部にはカム６４の伝動ピン６５が貫挿され、キャラクタ本体駆動モータ６３を起動してカム６４が回転したときにはクランク６６を介して両スライダ４０，４１が往復上下動して両キャラクタ本体３６が約１７ｍｍの範囲を１往復２．４秒の速度で往復昇降する。
　取付プレート５９の前側面の中央部付近にはカム６４の上方に配設された下定位置検出スイッチ６７と上定位置検出スイッチ６８とが前後に隣接して取付けられている。一方、カム６４の周胴面には伝動ピン６５及びキャラクタ３６のキャラクタ本体３７が下死点へ変位したときに下定位置検出スイッチ６７の触動片６７ａを下方へ傾動させて下定位置検出スイッチ６７の接点を切換えるために下定位置検出スイッチ６７に対向して形成された前凹部６４ａと、伝動ピン６５及びキャラクタ３６のキャラクタ本体３７が上死点位置へ変位したときに上定位置検出スイッチ６８の触動片６８ａを下方へ傾動させて上定位置検出スイッチ６８の接点を切換えるために上定位置検出スイッチ６８に対向して形成された後凹部６４ｂとが凹設され、両凹部６４ａ，６４ｂはカム６４の回転中心を中心として１８０°の回転対称位置に配設されている。
　取付プレート５８の後側面に複数個の腕片６９ａを介して取付けられて取付プレート５８の後方に垂立された基板取付プレート６９の後側面には入賞装置Ｎ内の各電気部品と、入賞装置Ｎ外の電気配線とが接続された中継基板７０が取着され、この中継基板７０にはプリント回路が印刷されるとともに、中継基板７０にはプリント回路とリード線束とを解離可能に接続する多数個のコネクタ７１が取付けられている。
　遊技盤１の裏面１ｂの中央部付近には第５図に示すように、左右入賞口４，５、天入賞口１５、大入賞口３内へ落入して遊技盤１への裏面１ｂ側へ転動した遊技球を集合して定位置へ排出するための誘導樋７２〜７２が取付けられるとともに、遊技盤１の裏面１ｂで入賞装置Ｎの下方には大入賞口３内へ落入した入賞球を検出するための大入賞口入球検出スイッチ７３が取付られ、さらに、遊技盤１の下部には中始動口１０内へ落入した遊技球を検出するための中始動口入球検出スイッチ７４と、左右始動口８，９内へ落入した遊技球を検出するための左右始動口入球検出スイッチ７５，７５とが取付けられている。
　次に、上記した入賞装置Ｎが装着された遊技機におけるゲーム態様について説明する。
　ゲームの開始に際し、遊技機の電源を投入すると、キャラクタ本体３７がキャラクタ本体駆動モータ６３によって駆動されて上定位置検出スイッチ６８の検出信号によって上死点で停止する。
　発射装置のハンドルを回動操作して上皿上の遊技球を１個ずつ遊技盤面１ａの任意の位置へ発射すると、遊技盤面１ａへ打ち込まれた各遊技球は各入賞口３，４，５，１５内、チューリップ式役物６，７内、始動口８，９．１０内へ落入するか、もしくはアウト口へ落入する。遊技球が大入賞口３内へ落入したときには１３個、他の各入賞口４，５，１５内、役物６，７内、各始動口８，９，１０内へ落入したときは８個の遊技球が遊技者に払い出される。
　遊技球が左右始動口８，９内へ落入すると、両大入賞口開閉ソレノイド６０が０．５０３秒後に１回励磁及び消磁されて両開閉翼片４６が１回往復揺動し、両大入賞口３が０．４００４秒間１回開放される（第１１図参照）。また、遊技球が中始動口１０内へ落入すると、両大入賞口開閉ソレノイド６０が０．７０１秒後に０．７０１秒間隔で２回反復して励磁及び消磁されて両大入賞口３がそれぞれ０．５９８秒間２回開放される。（第１２図参照）。
　両大入賞口３の開放中に大入賞口３内へ落入した遊技球が連続作動口２６内へ落入すると、両大入賞口３が４．００４秒後２６．２秒間に１８回反復して開閉される。この両大入賞口３の１８回の開閉に際し、両大入賞口３は、１回目及び２回目にはＡ秒間（Ａ＝０．７９６）開放されてからＢ秒間（Ｂ＝０．４００）閉鎖され、続いてＡ秒間開放される。３回目〜１４回目には両大入賞口３は１．３００秒間閉鎖されてからＢ秒間開放され、続いてＣ秒間（Ｃ＝０．７０１）閉鎖されてからＡ秒間開放され、さらにＢ秒間閉鎖されてからＡ秒間開放され、この両大入賞口３の３回の開閉状態が４回反復される。１５回目以後には両入賞口３は１．０９８秒間閉鎖されてからＣ秒間開放され、続いてＤ秒間（Ｄ＝０．９９８）閉鎖されてからＥ秒間（Ｅ＝０．５９８）開放され、続いてＤ秒間閉鎖されてからＥ秒間開放され、さらにＤ秒間閉鎖されてから１８回目にＥ秒間開放される（第１３図参照）。
　大入賞口３内へ落入した遊技球が連続作動口２６内へ落入すると、キャラクタ本体駆動モータ６３が２．７９８秒後に起動されてキャラクタ本体３７が下降を開始し、両大入賞口３が１８回中１５回開閉される間に５回の昇降動作を反復してから停止する。このキャラクタ本体３７の昇降に際し、キャラクタ本体３７は遊技球が連続作動口２６内へ落入してから２．７９８秒経過後に上死点から下降を開始して１．２００秒後に下死点へ下降し、下死点で１．９９７秒間停止してから、下死点と上支点の間を２．４００秒間に１回昇降する昇降動作を１．９９７秒間隔で４回反復し、下死点で５回目に１．９９７秒間停止してから１．２秒後に上死点へ上昇してその後上死点で静止する。
　また、両大入賞口３が１８回中１回目に開放されてから閉鎖された時点で球停留ソレノイド５０が励磁されて昇降部材４８が下降し、球停留部５６内への遊技球の停留が可能となり、その後両大入賞口３が１８回目に開放された時点、もしくは大入賞口３内への遊技球の入球が２個カウントされた時点で球停留ソレノイド５０が消磁されて昇降部材４８が上昇し、球停留部５６内の遊技球が送り出されるとともに、球停留部５６が消滅する。
　両大入賞口３の開放中に１０個の遊技球が大入賞口３内へ落入したときには両大入賞口３は１０個日の遊技球が入球した時点で閉鎖されてそれ以後の両大入賞口３の開放が禁止される。
　開放中の大入賞口３内に２個日の遊技球が落入したときにはその時点で球停留ソレノイド５０が消磁されて昇降部材４８が上昇した状態で保持される。
　大入賞口３内へ１０個目の遊技球が落入すると、その時点でキャラクタ駆動モータ６３が、上定位置検出スイッチ６８の上死点検出信号が発信されるまで０〜２．４００秒間回転駆動されてから停止し、キャラクタ本体３７が０〜２．４００秒の間に上死点へ移行して上死点で停止する。
　大入賞口３内へ落入した遊技球が連続作動口２６内へ落入し、両大入賞口３の１８回反復開閉が開始されてから、遊技球が再度連続作動口２６内へ落入したときにはその時点で両大入賞口３が一旦閉鎖されてから、４．００４秒後に再び両大入賞口３の１８回反復開閉が開始され、大入賞口３の開閉中に遊技球が連続作動口２６内へ落入する都度上記動作が連続的に繰り返され、その繰り返し回数は最初の開閉を含めて最高９回までと規定されている。
　また、両大入賞口３の開閉中、遊技球が再度連続作動口２６内へ落入すると、その時点で球停留ソレノイド５０が消磁されて昇降部材４８が上昇し、その後両大入賞口３の１８回反復開閉が開始されて両大入賞口３が１回目に閉鎖された時点で球停留ソレノイド５０が励磁されて昇降部材４８が下降し、この状態が両大入賞口３の１８回目の開放時まで継続する。
　さらに、両大入賞口３の開閉中遊技球が再度連続移動口２６内へ落入すると、その時点でキャラクタ駆動モータ６３が、上定位置検出スイッチ６８の検出信号が発信されるまで回転駆動されてキャラクタ本体３７が０〜２．４００秒間の間に上死点へ移行し、この移行開始時から２．７９８秒間上死点で停止した後、下降を開始して前記５回の昇降動作を反復する。
　両大入賞口３が反復して開閉されている間に遊技球が各始動口８，９，１０内へ落入したときにはそれぞれ８個の遊技球が払い出されるだけで、両大入賞口３の反復開閉終了後、引き続いて両大入賞口３が開閉されることはない。
　なお、連続作動口２６の有効作動時間は両大入賞口３の開閉が終了してから２．５０１秒以後と設定されている。
　上記した構成を有する入賞装置Ｎにおいて、大入賞口３に入賞した遊技球の受入れが可能な位置と不能な位置とに移動制御される球誘導路４２が遊技球の受入れが可能な位置へ移動した状態では、大入賞口３に入賞した遊技球は、球誘導路４２に受入れられて連続作動口２６の上流の球停留部５６に送り込まれ易い当り状態、若しくは、球誘導路４２に受入れられずに球誘導路４２の下流へ転落する外れ状態とに振り分けられる。球誘導路４２から送り出された遊技球が球停留部５６に停留すると、その停留球は停留後連続作動口２６に入賞し易い状態で球停留部５６から放出される。
　上記実施例によれば、大入賞口３に入賞した遊技球が、連続作動口２６の上流の球停留部５６に入り易い当り経路と、球停留部５６から外れ易い外れ経路とに球誘導路４２によって振り分けられ、当り経路に振り分けられた遊技球に対して連続作動口２６に入り易い位置で停留する機会が与えられるので、大入賞口３に入賞した遊技球の通行態様を特異化し、入賞装置Ｎに対してゲームの興趣を高める新規な趣向を付与することができる。
［発明の効果］
　本発明によれば、大入賞口に入賞した遊技球が、連続作動口の上流の球停留部に入り易い当り経路と、球停留部から外れ易い外れ経路とに球誘導路によって振り分けられ、当り経路に振り分けられた遊技球に対して連続作動口に入り易い位置で停留する機会が与えられるので、大入賞口に入賞した遊技球の通行態様を特異化し、入賞装置に対してゲームの興趣を高める新規な趣向を付与することができる。
【図面の簡単な説明】
　図面は本発明の一実施例を示すもので、第１図は入賞装置の縦断面図、第２図は同じく正面図、第３図は同じく斜視図、第４図は遊技盤の正面図、第５図は同じく裏面図、第６図は開閉翼片駆動機構の正面図、第７図はキャラクタ本体駆動機構の側断面図、第８図は昇降部材駆動機構の側断面図、第９図（Ａ），（Ｂ），（Ｃ），（Ｄ）はキャラクタ本体の昇降動作を順に説明する要部の裏面図、第１０図（Ａ），（Ｂ）は球停留孔内の球停留動作を説明する斜視図、第１１図は左右始動口入球時の大入賞口の開閉態様を示すタイムチャート、第１２図は中始動口入球時の大入賞口の開閉態様を示すタイムチャート、第１３図は連続作動口入球時の大入賞口の１８回開閉態様と、キャラクタ本体の昇降動作と、昇降部材の昇降動作とを説明するタイムチャート、第１４図は大入賞口の１８回開閉中に大入賞口内に２個及び１０個入球したときのキャラクタ本体の昇降動作及び昇降部材の昇降動作を説明するタイムチャート、第１５図は大入賞口の１８回開閉中に連続作動口内に入球したときのキャラクタ本体の昇降動作及び昇降部材の昇降動作を説明するタイムチャートである。
３……大入賞口
３７……キャラクタ本体
４２……球誘導路
４４……球停留孔
４８……昇降部材